(57)【要約】【課題】顔の部分画像から、データベースに格納されている部分画像に対応する人物の顔全体画像、属性データ等を検索する。【解決手段】顔画像検索装置５０は、顔画像ファイル４０、または、顔画像写真４１の画像を入力し、指定された部分を顔画像パーツファイル４２として作成し、通信ネットワーク１００を介し、データサーバ６０に送信する。データサーバ６０は、顔画像パーツファイル４２と、顔画像データベース装置７０に格納されている顔画像パーツデータとの照合を行い、一致度の高い順に、顔画像パーツデータを複数選択し、顔画像パーツデータに対応する顔全体画像、および、属性データを一致度順を付加して、通信ネットワーク１００を介し、顔画像検索装置５０に送信する。顔画像検索装置５０は、顔全体画像、および、属性データをディスプレイ等に表示する。【選択図】      図１
2004192213.tif 000002
【特許請求の範囲】
【請求項１】
顔の部分、または、全体を含む顔画像を入力し、指定された顔の部分に対応する顔画像パーツファイルを作成し、照合要求をネットワークを介し送信し、前記ネットワークを介し、顔全体画像、属性データを受信すると、画面に表示する顔画像検索装置と、前記顔画像検索装置からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索装置に前記ネットワークを介して送信するデータサーバとを有することを特徴とする顔照合システム。
【請求項２】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、画面に表示する顔画像検索装置と、前記顔画像検索装置からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索装置に前記ネットワークを介して送信するデータサーバとを有することを特徴とする顔照合システム。
【請求項３】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示する顔画像検索装置と、前記顔画像検索装置からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索装置に前記ネットワークを介して送信するデータサーバとを有することを特徴とする顔照合システム。
【請求項４】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示し、選択されたサムネイルの顔画像を印刷する顔画像検索装置と、前記顔画像検索装置からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索装置に前記ネットワークを介して送信するデータサーバとを有することを特徴とする顔照合システム。
【請求項５】
顔の部分、または、全体を含む顔画像を入力し、指定された顔の部分に対応する顔画像パーツファイルを作成し、照合要求をネットワークを介し送信し、前記ネットワークを介し、顔全体画像、属性データを受信すると、画面に表示する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とを含むことを特徴とする顔照合方法。
【請求項６】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、画面に表示する顔画像検索手順と、前記顔画像手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とを含むことを特徴とする顔照合方法。
【請求項７】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とを含むことを特徴とする顔照合方法。
【請求項８】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示し、選択されたサムネイルの顔画像を印刷する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とを含むことを特徴とする顔照合方法。
【請求項９】
顔の部分、または、全体を含む顔画像を入力し、指定された顔の部分に対応する顔画像パーツファイルを作成し、照合要求をネットワークを介し送信し、前記ネットワークを介し、顔全体画像、属性データを受信すると、画面に表示する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とをコンピュータに実行させることを特徴とする顔照合プログラム。
【請求項１０】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、画面に表示する顔画像検索手順と、前記顔画像手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とをコンピュータに実行させることを特徴とする顔照合プログラム。
【請求項１１】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とをコンピュータに実行させることを特徴とする顔照合プログラム。
【請求項１２】
写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示し、選択されたサムネイルの顔画像を印刷する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とをコンピュータに実行させることを特徴とする顔照合プログラム。
【発明の詳細な説明】
【０００１】
【発明の属する技術分野】
本発明は、顔照合システム、顔照合方法、および、顔照合プログラムに関し、特に、顔の部分に基づいて照合を行う顔照合システム、顔照合方法、および、顔照合プログラムに関する。
【０００２】
【従来の技術】
顔の照合の技術としては、たとえば、特許文献１記載の技術がある。この技術は、「ビデオカメラ等で使用者の頭部映像を得て、顔検知モジュールによりその映像から顔のエリアを検知し、更に顔の特徴検知モジュールにより顔の複数の特徴を検知し、自動的にノーマリゼーションステップを進行させ、インバリアントフェースに転換し、更にトレーニングステップを実行し、インバリアントフェースデータベース及びインバリアント特徴データベースを得て、顔の特徴をインバリアントスペースに転換しインバリアントベクトルとし、照合用参考データベースに記憶しておき、個人認識においては、同様な各ステップを経て至り、前記の記憶手段に保存してあるインバリアントフェース、ベクトルとの類似度計算を行い、コンフィデンス指数をモニターに提示する」技術である。
【０００３】
また、結婚相談に関する技術としては、特許文献２記載の技術がある。この技術は、「結婚相談所の本部に設置されたホストコンピュータの制御手段が、情報読取装置から会員登録用紙の読取情報が送出されてくると、その記憶手段に記憶し、結婚相談所の支部に設置された端末コンピュータの制御手段が、その入力手段からパートナー紹介情報の照会指令が送出されてくると、前記ホストコンピュータにアクセスして前記パートナー紹介情報の検索条件を受け取り、かつその表示手段に検索条件を表示させ、次に、この検索条件が満たされて特定のパートナー紹介情報が送出されてくると、この紹介情報を前記表示手段に表示し、また印字手段を動作させて用紙に印字させる」技術である。
【０００４】
【特許文献１】
特開２００２−１５０２８８号公報
【特許文献２】
特開２００１−２２２５８３号公報
【０００５】
【発明が解決しようとする課題】
上述した特許文献１記載の技術の問題点は、顔の照合に対する使い勝手が悪いことである。
【０００６】
その理由は、顔画像のすべての部分の照合を実施するため、顔の部分的な画像では、照合ができないからである。
【０００７】
上述した特許文献２記載の技術の問題点は、検索条件が狭いことである。
【０００８】
その理由は、顔の部分画像を検索条件として使用できないからである。
【０００９】
本発明の目的は、顔の部分画像から、データベースに格納されている部分画像に対応する人物の顔全体画像、属性データ等を検索することである。
【００１０】
【課題を解決するための手段】
本発明の第１の顔照合システムは、顔の部分、または、全体を含む顔画像を入力し、指定された顔の部分に対応する顔画像パーツファイルを作成し、照合要求をネットワークを介し送信し、前記ネットワークを介し、顔全体画像、属性データを受信すると、画面に表示する顔画像検索装置と、前記顔画像検索装置からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索装置に前記ネットワークを介して送信するデータサーバとを有することを特徴とする。
【００１１】
本発明の第２の顔照合システムは、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、画面に表示する顔画像検索装置と、前記顔画像検索装置からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索装置に前記ネットワークを介して送信するデータサーバとを有することを特徴とする。
【００１２】
本発明の第３の顔照合システムは、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示する顔画像検索装置と、前記顔画像検索装置からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索装置に前記ネットワークを介して送信するデータサーバとを有することを特徴とする。
【００１３】
本発明の第４の顔照合システムは、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示し、選択されたサムネイルの顔画像を印刷する顔画像検索装置と、前記顔画像検索装置からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索装置に前記ネットワークを介して送信するデータサーバとを有することを特徴とする。
【００１４】
本発明の第１の顔照合方法は、顔の部分、または、全体を含む顔画像を入力し、指定された顔の部分に対応する顔画像パーツファイルを作成し、照合要求をネットワークを介し送信し、前記ネットワークを介し、顔全体画像、属性データを受信すると、画面に表示する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とを含むことを特徴とする。
【００１５】
本発明の第２の顔照合方法は、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、画面に表示する顔画像検索手順と、前記顔画像手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とを含むことを特徴とする。
【００１６】
本発明の第３の顔照合方法は、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とを含むことを特徴とする。
【００１７】
本発明の第４の顔照合方法は、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示し、選択されたサムネイルの顔画像を印刷する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とを含むことを特徴とする。
【００１８】
本発明の第１の顔照合プログラムは、顔の部分、または、全体を含む顔画像を入力し、指定された顔の部分に対応する顔画像パーツファイルを作成し、照合要求をネットワークを介し送信し、前記ネットワークを介し、顔全体画像、属性データを受信すると、画面に表示する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とをコンピュータに実行させることを特徴とする。
【００１９】
本発明の第２の顔照合プログラムは、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、画面に表示する顔画像検索手順と、前記顔画像手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とをコンピュータに実行させることを特徴とする。
【００２０】
本発明の第３の顔照合プログラムは、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とをコンピュータに実行させることを特徴とする。
【００２１】
本発明の第４の顔照合プログラムは、写真、またはファイルのどちらかを選択するための表示、顔の部分、または顔全体のどちらかを選択するための表示を含む初期画面を表示し、顔の部分、または、顔全体を含む顔画像を入力し、顔全体が選択されると、顔の部分を指定するための画面を表示し、指定された顔の部分に対応する顔画像パーツファイルを作成し、照合要求をネットワークを介し送信し、前記ネットワークを介し、顔全体画像、属性データを受信すると、顔全体画像のサムネイルを含む画面を表示し、選択されたサムネイルの顔画像を印刷する顔画像検索手順と、前記顔画像検索手順からの照合要求を受信すると、記憶装置内の顔画像パーツデータを読み出し、顔画像パーツファイルと照合を行い、一致度の高い顔画像パーツデータに対応する顔全体画像、属性データを抽出し、前記顔画像検索手順に前記ネットワークを介して送信するデータサーバ手順とをコンピュータに実行させることを特徴とする。
【００２２】
【発明の実施の形態】
次に、本発明の第１の実施の形態について図面を参照して詳細に説明する。
【００２３】
図１は、本発明の第１の実施の形態の構成を示すブロック図である。
【００２４】
図１を参照すると、本発明の第１の実施の形態は、申込者により利用される結婚相談所の窓口に設置される１以上の顔画像検索装置５０（たとえば、パーソナルコンピュータ等）と、申込者が利用する顔画像ファイル４０、または、顔画像写真４１と、結婚相談所の本部に設置されるデータサーバ６０（たとえば、サーバコンピュータ等）と、データサーバ６０に接続される顔画像データベース装置７０（たとえば、ハードディスク等の記憶装置）と、顔画像検索装置５０、データサーバ６０を相互に接続する専用回線やインターネット等の通信ネットワーク１００とから構成される。
【００２５】
申込者は、自分の好みのタイプを顔画像の一部から全体像の画像を選ぶことを望む者であり、結婚相談所の利用者である。
【００２６】
結婚相談所の窓口は、各所に設置された利用者対応の窓口であり、結婚相談所の本部は、顧客データを一元管理で登録し、保存している統括部署である。
【００２７】
顔画像ファイル４０は、任意の写真にある顔画像の全体、または、一部（たとえば、目）を顔画像パーツデータとして含むファイルであり、申込者１０の好みのタイプである顔画像の一部である。
【００２８】
顔画像検索装置５０は、パーソナルコンピュータ、携帯端末等の顔画像入出力装置であり、顔画像ファイル４０、顔画像写真４１を入力する機能を有する。また、顔画像検索装置５０は、通信ネットワーク１００を介し、入力した顔画像ファイル４０、または、顔画像写真４１から顔画像パーツファイル４２を作成し、データサーバ６０に送信する機能を持つ。
【００２９】
データサーバ６０は、顔画像検索装置５０からの顔画像パーツファイル４２の顔画像パーツデータと顔画像データベース装置７０に格納されている顔画像パーツデータとを照合する機能を持つ。
【００３０】
顔画像データベース装置７０は、顔画像パーツデータと、顔画像パーツデータに対応する人物の顔全体画像、および、人物の属性データ（たとえば、氏名、連絡先等）を格納する。
【００３１】
次に、本発明の第１の実施の形態の動作について図面を参照して説明する。
【００３２】
図２は、本発明の第１の実施の形態の動作を示すフローチャートである。
【００３３】
図３は、本発明の第１の実施の形態の動作を示すフローチャートである。
【００３４】
図４は、初期画面を示す説明図である。
【００３５】
図５は、第１種顔画面を示す説明図である。
【００３６】
図６は、第２種顔画面を示す説明図である。
【００３７】
図７は、検索結果画面を示す説明図である。
【００３８】
図８は、個別画面を示す説明図である。
【００３９】
顔画像検索の種類を申込者が自分の好みの目の画像を元に抽出する例に関して説明する。なお、以降の説明では通信ネットワーク１００は仮にインターネットであるとする。
【００４０】
図２を参照すると、まず、申込者が結婚相談所の窓口を訪問する（図２ステップＳ１）。
【００４１】
申込者は、任意の写真に写った人物の目が好みのタイプであり、顔全体が含まれる顔画像ファイル４０が記録された媒体（たとえば、ＣＤ−Ｒ／ＲＷ、フロッピー（登録商標）ディスク等）または、顔画像写真４１を結婚相談所の窓口に持ち込む（図２ステップＳ２）。
【００４２】
結婚相談所の窓口において、申込者は、顔画像写真４１を顔画像検索装置５０のスキャナーに挿入し（または、顔画像ファイル４０をＣＤトレイ、または、フロッピー（登録商標）ディスクトレイ等に挿入する）、顔画像検索装置５０を起動する（図２ステップ３）。
【００４３】
起動された顔画像検索装置５０は、ディスプレイ等に初期画面を表示する（図２ステップＳ４）。
【００４４】
図４を参照すると、「初期画面」は、写真（顔画像写真４１に対応）、ファイル（顔画像ファイル４０に対応）のどちらかを選択するための表示、および、利用者が持ち込んだ顔画像ファイル４０、または、顔画像写真４１が、顔全体であるのか、部分（たとえば、目）であるのかを選択するための表示を含む。
【００４５】
申込者が、マウス等により、「初期画面」に対し選択を実施し（まる印をクリックし）、スタートボタンをクリックすると（図２ステップＳ５）、顔画像検索装置５０は、スキャナーにより、顔画像写真４１を読み取り（または、顔画像ファイル４０を読み取り）、内部に格納する（図２ステップＳ６）。
【００４６】
次に、顔画像検索装置５０は、初期画面に対し「全体」、「部分」のどちらが選択されたのか判断し（図２ステップＳ７）、全体であれば（図２ステップＳ７／ＹＥＳ）、読み取った画像を含む「第１種顔画面」をディスプレイ等に表示する（図２ステップＳ８）。
【００４７】
図５を参照すると、「第１種顔画面」は、読み取った画像、および、照合対象とするパーツ（たとえば、目）を選択させるための文章、および、「検索開始ボタン」を含む。
【００４８】
次に、申込者が、マウス等により、「第１種顔画面」に対し、照合対象とするパーツを囲んで、さらに、検索開始ボタンをクリックすると（図２ステップＳ９）、顔画像検索装置５０は、囲まれた選択された部分を抽出し、顔画像パーツファイル４２を作成し（図２ステップＳ１０）、通信ネットワーク１００を介し、顔画像パーツファイル４２を伴う照合要求をデータサーバ６０に送信する（図２ステップＳ１１）。
【００４９】
また、部分が選択されると（図２ステップＳ７／ＮＯ）、
データサーバ６０は、読み取った画像を含む「第２種顔画面」をディスプレイ等に表示する（図２ステップＳ１２）。
【００５０】
図６を参照すると、「第２種顔画面」は、読み取った画像、および、および、「検索開始ボタン」を含む。
【００５１】
次に、申込者が、マウス等により、「第２種顔画面」に対し、検索開始ボタンをクリックすると（図２ステップＳ９）、「第２種顔画面」に表示している画像を顔画像パーツファイル４２として作成し（図２ステップＳ１４）、通信ネットワーク１００を介し、顔画像パーツファイル４２を伴う照合要求をデータサーバ６０に送信する（図３ステップＳ１１）。
【００５２】
データサーバ６０は、通信ネットワーク１００を介し、顔画像検索装置５０から顔画像パーツファイル４２を伴う照合要求を受信すると（図３ステップＳ１５）、顔画像データベース装置７０に格納されている顔画像パーツデータとの照合を行う（図３ステップＳ１６）。これは、顔画像データベース装置７０から順次顔画像パーツデータを読み出し、顔画像パーツファイル４２との種々の特徴等の一致を調べることにより実施される。
【００５３】
次に、データサーバ６０は、照合結果で、一致度の高い順に、顔画像パーツデータを複数選択し（図３ステップＳ１７）、顔画像パーツデータに対応する顔全体画像、および、属性データを一致度順を付加して、通信ネットワーク１００を介し、顔画像検索装置５０に送信する（図３ステップＳ１８）。
【００５４】
顔画像検索装置５０は、顔全体画像、および、属性データを通信ネットワーク１００を介し、データサーバ６０から受信すると（図３ステップＳ１９）、顔全体画像のサムネイルを含む図７に示す検索結果画面をディスプレイ等に表示する（図３ステップＳ２０）。
【００５５】
図７を参照すると、検索結果画面は、各顔全体画像のサムネイルを選択ボタンとを含む。
【００５６】
申込者が、検索結果画面に対して、どれかの選択ボタンをクリックすると（図３ステップＳ２１）、顔画像検索装置５０は、図８に示す個別画面を表示する（図３ステップＳ２２）。
【００５７】
図８を参照すると、個別画面は、選択されたサムネイル画像に対応する大きい顔全体画像、および、対応する属性データ（氏名、連絡先）、印刷ボタン、戻りボタンを含む。戻りボタンは、前の画面に戻るためのものである。また、顔画像検索装置５０は、印刷ボタンがクリックされると個別画面をプリンタ等で印刷する。
【００５８】
次に、本発明の第２の実施の形態について詳細に説明する。
【００５９】
本発明の第２の実施の形態は、警察業務における被疑者特定に当たり、目撃情報から被疑者を特定するため、本発明の第１の実施の形態と同様にあらかじめ登録されている犯歴者情報と目撃情報の顔のパーツによって候補者の選択を可能とする。たとえば、目撃者が、犯人の目は、「芸能人の誰それに似ている」という証言があった場合、その芸能人の写真を顔画像写真４１として使用する。
【００６０】
本発明の第２の実施の形態においては、顔画像検索装置５０が警察署等に設置され、データサーバ６０が警察本部等に設置される。
【００６１】
その他、種々に利用が可能である。
【００６２】
次に、本発明の第３の実施の形態について図面を参照して詳細に説明する。
本発明の第３の実施の形態は、顔画像写真４１、または顔画像ファイル４０のどちらかを選択するための表示、顔の部分、または顔全体のどちらかを選択するための表示を含む初期画面を表示し、顔画像写真４１、または顔画像ファイル４０を入力し、顔全体が選択されると、顔の部分を指定するための第１種顔画面を表示し、指定された顔の部分に対応する顔画像パーツファイル４２を作成し、照合要求を通信ネットワーク１００を介し送信し、通信ネットワーク１００を介し、顔全体画像、属性データを受信すると、顔全体画像のサムネイルを含む検索結果画面を表示し、選択されたサムネイルの顔画像を印刷する顔画像検索手順と、前記顔画像検索手順からの照合要求を受信すると、顔画像データベース装置７０内の顔画像パーツデータを読み出し、顔画像パーツファイル４２と照合を行い、一致度の高い顔画像パーツデータに対応する顔全体画像、属性データを抽出し、前記顔画像検索手順に通信ネットワーク１００を介して送信するデータサーバ手順とを含む方法である。
【００６３】
次に、本発明の第４の実施の形態について図面を参照して詳細に説明する。
本発明の第４の実施の形態は、顔画像写真４１、または顔画像ファイル４０のどちらかを選択するための表示、顔の部分、または顔全体のどちらかを選択するための表示を含む初期画面を表示し、顔画像写真４１、または顔画像ファイル４０を入力し、顔全体が選択されると、顔の部分を指定するための第１種顔画面を表示し、指定された顔の部分に対応する顔画像パーツファイル４２を作成し、照合要求を通信ネットワーク１００を介し送信し、通信ネットワーク１００を介し、顔全体画像、属性データを受信すると、顔全体画像のサムネイルを含む検索結果画面を表示し、選択されたサムネイルの顔画像を印刷する顔画像検索手順と、前記顔画像検索手順からの照合要求を受信すると、顔画像データベース装置７０内の顔画像パーツデータを読み出し、顔画像パーツファイル４２と照合を行い、一致度の高い顔画像パーツデータに対応する顔全体画像、属性データを抽出し、前記顔画像検索手順に通信ネットワーク１００を介して送信するデータサーバ手順とをコンピュータに実行させるプログラムである。
【００６４】
【発明の効果】
第１の効果は、困難な顔画像の照合を完全一致ではなくファジーな一致で対象画像として選択できる。
【００６５】
第２の効果は、複数の会員データの画像を無作為に見ることなく、ある程度の候補者選択が可能になる。
【図面の簡単な説明】
【図１】本発明の第１の実施の形態の構成を示すブロック図である。
【図２】本発明の第１の実施の形態の動作を示すフローチャートである。
【図３】本発明の第１の実施の形態の動作を示すフローチャートである。
【図４】初期画面を示す説明図である。
【図５】第１種顔画面を示す説明図である。
【図６】第２種顔画面を示す説明図である。
【図７】検索結果画面を示す説明図である。
【図８】個別画面を示す説明図である。
【符号の説明】
４０    顔画像ファイル
４１    顔画像写真
４２    顔画像パーツファイル
６０    データサーバ
７０    顔画像データベース装置
１００    通信ネットワーク
【図１】
2004192213.tif 000003
【図２】
2004192213.tif 000004
【図３】
2004192213.tif 000005
【図４】
2004192213.tif 000006
【図５】
2004192213.tif 000007
【図６】
2004192213.tif 000008
【図７】
2004192213.tif 000009
【図８】
2004192213.tif 000010